(57)【特許請求の範囲】
【請求項１】
可撓性があり湾曲形成されたバンド部材（１１，１１ａ）が一対で設けられ、該バンド部材の基端部にリングの一部が切り離されて断面形状がＣ字状を呈するリング体（１２，１２ａ）が一体に形成され、該リング体は、切り離し部分となるバンド差込み口（２０，２０ａ）が上記バンド部材の長手方向に平行する方向に開口すると共に、当該バンド差込み口は、上記各バンド部材を組立てた時に湾曲部分の上位となるバンド部材（１１）では正面視で湾曲形状の内側部分で開口し、湾曲部分の下位となるバンド部材（１１ａ）では正面視で湾曲形状の外側部分で開口し、上記バンド差込み口の周縁部に上記バンド部材の挿入は許すが脱落を阻止する係止蓋（２２，２２ａ）を設け、上記各バンド部材は上位となるバンド部材（１１）の下位に他のバンド部材（１１ａ）を重合し、上記各バンド部材は共に他のリング体の上記バンド差込み口に横方向から圧入して当該リング体内で摺動自在とし、上記各バンド部材は上記各リング体から突出させた先端部に耳当て体（１３）を装着したことを特徴とする保温用耳覆い。
【発明の詳細な説明】
【０００１】
【発明の属する技術分野】
本発明は、耳覆いに関しており、さらに詳しくは寒さから耳を守るための保温用耳覆いに関している。
【０００２】
【従来の技術】
可撓性があり弯曲形成されたヘッドバンドの先端部に保温資材でくるまれた耳当て体を設けたものであって、寒さから耳を守るための保温用耳覆いはよく知られている。図３，４は従来例の耳覆いを示しており、弯曲形成したヘッドバンド１の先端部に耳当てカップ２を装着し、該耳当てカップ２を保温材３によって包被したものであって、ヘッドバンド１を構成する各バンド部材４が長手方向に互いに摺動自在であって、ヘッドバンド全体の長さを伸縮して使用者の耳を確実に覆うことができる構造になっている。
【０００３】
バンド部材４は、基端部にバンド部材が２本収容できる形態のリング５を装着し、該リング５内でバンド部材４を摺動させることができる。ヘッドバンド１の中央部はバンド部材４が二重になり全体の長さ調整ができるようになっている。リング５はリング体の一部を切り離して断面Ｃ字形に形成すると共に、切り離された自由端をリングの内側に向って折り曲げることでスプリング効果を奏させるものであり、又、バンド部材４の基端部にはリング５を係合する２本の突条６が長手方向に直交した方向に設けられる。
【０００４】
ヘッドバンド１を組み立てるには、まずバンド部材４の基端部にリング５を装着する。リング５は断面Ｃ字形になっていてスプリング効果を奏するのでバンド部材４の突条６内に圧入すれば通常の力では脱落しない程度に装着される。一対で形成される各々のバンド部材４にリング５を装着し、次いで各バンド部材４の先端部を相手方のリング５に挿通する。
【０００５】
従来技術において、バンド部材４及びリング５は何れもプラスチック成型品であるが、これらは一体成型しにくい形態なので別部品として製造していた。このため、従来技術においては、当然のことながら部品点数が増え又組立作業に手数を要することになり、製造価格を引き下げられない大きな原因となっている。
【０００６】
【発明が解決しようとする課題】
本発明は、ヘッドバンドを構成するバンド部材に他のバンド部材を挿通するリング体を一体に形成することにより、部品点数を減らし組立作業を容易にした保温用耳覆いを提供することを課題としている。
【０００７】
【課題を解決する手段】
解決手段の第１は、可撓性があり湾曲形成されたバンド部材が一対で設けられ、該バンド部材の基端部にリングの一部が切り離されて断面形状がＣ字状を呈するリング体が一体に形成され、該リング体は、切り離し部分となるバンド差込み口が上記バンド部材の長手方向に平行する方向に開口すると共に、当該バンド差込み口は、上記各バンド部材を組立てた時に湾曲部分の上位となるバンド部材では正面視で湾曲形状の内側部分で開口し、湾曲部分の下位となるバンド部材では正面視で湾曲形状の外側部分で開口し、上記バンド差込み口の周縁部に上記バンド部材の挿入は許すが脱落を阻止する係止蓋を設け、上記各バンド部材は上位となるバンド部材の下位に他のバンド部材を重合し、上記各バンド部材は共に他のリング体の上記バンド差込み口に横方向から圧入して当該リング体内で摺動自在とし、上記各バンド部材は上記各リング体から突出させた先端部に耳当て体を装着したことを特徴とするものである。
【０００８】
【発明の実施の形態】
図１は本発明の耳覆いを示し、図２はヘッドバンドの部材を示している。図において、ヘッドバンド１０は、可撓性があって弯曲形成された帯状形態のバンド部材１１，１１ａが一対で設けられ、各バンド部材１１，１１ａの基端部に設けた断面Ｃ字状のリング体１２，１２ａに当該バンド部材１１，１１ａの先端部を摺動自在に挿入することで全体の長さが調整可能となるものである。また、各バンド部材１１，１１ａにはリング体１２，１２ａから突出させた先端部に耳当て体１３が設けられる。なお、該耳当て体１３は耳当てカップ１４に保温布１５を包被したものである。
【０００９】
ヘッドバンド１０は、各バンド部材１１，１１ａの弯曲部分が二重に重合されていて全体の長さが調整できるので、耳当て体１３は使用者の耳を確実に当接してこれを覆う長さに調整できるようになっている。
【００１０】
リング体１２，１２ａは、バンド部材１１，１１ａの基端部に一体に形成されたものであって、リングの一部が切り離されて断面形態がＣ字状を呈しており、切り離されたバンド差込み口２０，２０ａがバンド部材１１，１１ａの長手方向に平行する方向に向って開口している。ヘッドバンド１０を組み立てるに際し、バンド部材１１，１１ａを同じ方向からリング体１２，１２ａに挿入できるようにするため、リング体１２，１２ａに設けたバンド差込み口２０，２０ａは、各バンド部材１１，１１ａによって開口位置を異にしている。
【００１１】
ヘッドバンド１０が図１に示すように組み立てられたとき、弯曲部分の上位となるバンド部材１１においては、リング体１２のバンド差込み口２０が当該バンド部材１１の内側部分で開口し（図２）、又、下位となるバンド部材１１ａにおいては、リング体１２ａのバンド差込み口２０ａが部材の外側で開口している（図２）。すなわち、上位となるバンド部材１１に設けるリング体１２は正面視で弯曲形状の内側に設け、また下位となるバンド部材１１ａに設けるリング体１２ａは正面視で外側に設ける。
【００１２】
又、リング体１２，１２ａは、バンド差込み口２０，２０ａを閉じる方向に傾斜させて部材にスプリング効果が奏するようにしてあり、またバンド差込み口２０，２０ａの周縁部には挿入されたバンド部材１１，１１ａの脱落を防止するため、バンド部材１１，１１ａの基端部に隣接する部分に係止爪２１，２１ａを設け、リング体１２，１２ａの自由端には前記係止爪２１，２１ａよりも開口部に近い位置に係止蓋２２，２２ａを設けている。なお、上記係止爪２１，２１ａ及び係止蓋２２，２２ａは、何れも開口部からバンド部材１１，１１ａの挿入を容易にするために開口部入口に向う面がアール形状になっている。
【００１３】
さらに又、リング体１２，１２ａには、バンド差込み口２０，２０ａを設けると共にスプリング効果を奏させるようにしているので、当該リング体１２，１２ａを強固なものにするため、側面にバンド部材１１，１１ａの長手方向に直交する方向のリブ２３，２３ａを設けている。
【００１４】
耳当てカップ１４は、カップ形状をしたプラスチックの成型品であり、底部にバンド部材１１の先端部を挿入固定するためのバンド挿入口３０を設けている。なお、バンド挿入口３０は、上方及び下方の部材を交互に切り取った形態に形成されていて、バンド部材１１の先端近傍の表面側に設けた第１のストッパー３１を該バンド挿入口３０の上方部材３０ａに係合し、裏面側に設けた第２のストッパー３２をバンド挿入口３０の下方部材３０ｂに接合させたものであり、バンド部材１１は第１のストッパー３１によって耳当てカップ１４から脱落しないように係合し、第２のストッパー３２によって該耳当てカップ１４がガタ付きなく確実に両者を連結するものである。
【００１５】
又、バンド部材１１は耳当てカップ１４に挿入する部分で弯曲角度を変えているので、この弯曲角度を維持するため弯曲角度が変る部分の内側に補強体３３を設けている。
【００１６】
さらに又、耳当てカップ１４には、バンド挿入口３０に隣接して保温布差込み口３４を設けている。保温布１５は保温効果の高い布地であって、一端を開口した袋状に縫製してあり、開口部から耳当てカップ１４を挿入して開口部付近の資材を保温布差込み口３４から当該カップ内に挿入する。なお、バンド部材１１は耳当てカップ１４に保温布１５を包被してから差し込むので、保温布１５にはバンド部材１１を差し込むための切り目を設けておく。
【００１７】
本発明の耳覆いを組み立てるには、一対のバンド部材１１，１１ａのうち一方の部材１１を上位に、他方の部材１１ａを下位にして各弯曲部分を重合し、下位の部材１１ａを上位の部材１１のバンド差込み口２０からリング体１２内に挿入する。又、これと同時に上位の部材１１は下位の部材１１ａのバンド差込み口２０ａからリング体１２ａに挿入する。
【００１８】
リング体１２，１２ａは、図１Ｂ，Ｃに示すようにバンド差し込み口２０，２０ａに係合蓋２２，２２ａと係止爪２１，２１ａが形成されているから、バンド部材１１，１１ａを当該リング体１２，１２ａに挿入するときはバンド差込み口２０，２０ａを押し広げて圧入するが、いったんバンド部材１１，１１ａがリング体１２，１２ａ内に挿入された後は、バンド部材１１，１１ａは当該リング体１２，１２ａ内で摺動自在となる。
【００１９】
バンド部材１１，１１ａの先端部に耳当て体１３を装着する時機はバンド部材１１，１１ａをヘッドバンド１０に組み立てた後でもよいが、組み立て前に装着することもできる。すなわち、バンド部材１１，１１ａをヘッドバンド１０に組み立てるに際し、バンド部材１１，１１ａはリング体１２，１２ａに横方向から挿入できるので、各バンド部材１１，１１ａに予め耳当て体１３を装着してからヘッドバンド１０に組み立てることができる。
【００２０】
このようにして組み立てられた耳覆いは、バンド部材１１，１１ａを摺動させてヘッドバンド１０を使用者の耳を確実に覆う長さに調整する。
【００２１】
【発明の効果】
本発明は、ヘッドバンドを構成するバンド部材を摺動自在に保持するリング体をバンド部材と一体に形成し、又、リング体に設けたバンド差込み口をバンド部材の長手方向に平行する方向に向けて開口したものであるから、バンド部材の組み立てが当該部材を横方向から挿入することができ、このためバンド部材の先端部に耳当て体を装着した後であっても耳覆いの組み立てが可能なものとなっている。
【００２２】
又、本発明は、バンド部材とリング体を一体に形成したものであるから、部品点数が従来品よりも少なくなり、組み立て作業が容易となったことと相俟って製造価格を引き下げることに成功したものである。
【図面の簡単な説明】
【図１】本発明の耳覆いを示しており、（Ａ）は正面図、（Ｂ）はｂ−ｂ断面図、（Ｃ）はｃ−ｃ断面図。
【図２】本発明のバンド部材を示す斜視図。
【図３】従来技術の耳覆いを示す正面図。
【図４】従来技術のバンド部材を示す斜視図。
【符号の説明】
１０  ヘッドバンド
１１  バンド部材
１２  リング体
１３  耳当て体
１４  耳当てカップ
１５  保温布
２０  バンド差込み口
２１  係止爪
２２  係止蓋
２３  リブ
３０  バンド挿入口
３０ａ  上方部材
３０ｂ  下方部材
３１  第１のストッパー
３２  第２のストッパー
３３  補強体
３４  保温布差込み口
【図１】
0003697381.tif 000002
【図２】
0003697381.tif 000003
【図３】
0003697381.tif 000004
【図４】
0003697381.tif 000005